(57)【特許請求の範囲】
【請求項１】
記録紙を格納する給紙トレイを有する１以上の給紙ユニットが着脱可能に接続可能な画像形成装置であって、
前記記録紙に画像を形成する画像形成部と、
前記給紙トレイから前記画像形成部へ給紙される記録紙の通路となる給紙路ごとに設けられ、前記給紙路中で給紙される前記記録紙のジャムの発生を検知するジャム検知手段と、
前記記録紙のジャムの発生を検知した前記ジャム検知手段が設けられた前記給紙路をジャム給紙路として特定し、前記ジャム給紙路に給紙された前記記録紙が格納されていた前記給紙トレイをジャム給紙トレイとして特定する特定手段と、
前記ジャム給紙トレイ以外の前記給紙トレイである他の給紙トレイを有する前記給紙ユニットが、前記画像形成装置に接続されているか否かを判定する接続判定手段と、
前記接続判定手段による判定結果と、前記特定されたジャム給紙路とに基づいて、前記他の給紙トレイを有する前記給紙ユニットから前記画像形成部へ前記記録紙を給紙する再給紙が可能か否かを判定する再給紙判定手段と、
前記再給紙が可能であると判定された場合、前記他の給紙トレイに格納された前記記録紙を前記画像形成部へ給紙する給紙手段と、を備え、
前記給紙路は、前記給紙ユニットごとに接続され、かつ前記給紙ユニット内で前記給紙トレイから給紙される前記記録紙の通路となる固有給紙路と、前記１以上の給紙ユニットの給紙路として共通し、かつ前記固有給紙路から前記画像形成部へ給紙される前記記録紙の通路となる共通給紙路とを備え、
前記ジャム検知手段は、前記固有給紙路に設けられ、前記固有給紙路中で給紙される前記記録紙のジャムの発生を検知する第１検知手段と、前記共通給紙路に設けられ、前記共通給紙路中を給紙される前記記録紙のジャムの発生を検知する第２検知手段とを、前記給紙ユニットごとに備え、
前記特定手段は、前記記録紙のジャムの発生を検知した前記第１検知手段が設けられた前記固有給紙路である前記ジャム給紙路に給紙された前記記録紙が格納されていた前記ジャム給紙トレイ、または前記記録紙のジャムの発生を検知した前記第２検知手段が設けられた前記共通給紙路である前記ジャム給紙路に給紙された前記記録紙が格納されていた前記ジャム給紙トレイを特定することを特徴とする画像形成装置。
【請求項２】
前記再給紙判定手段は、前記他の給紙トレイを有する前記給紙ユニットが接続されていると判定された場合であって、かつ、前記固有給紙路が前記ジャム給紙路として特定された場合、前記再給紙が可能であると判定することを特徴とする請求項１に記載の画像形成装置。
【請求項３】
前記再給紙判定手段は、前記他の給紙トレイを有する前記給紙ユニットが接続されていると判定された場合であって、かつ、前記共通給紙路が前記ジャム給紙路として特定され、かつ前記他の給紙トレイから給紙される前記記録紙が、特定された前記共通給紙路より前記記録紙の給紙方向の下流側に位置する前記共通給紙路のみを通過する場合、前記再給紙が可能であると判定することを
特徴とする請求項１または２に記載の画像形成装置。
【請求項４】
前記給紙手段による給紙動作を制御するコントローラをさらに備え、
前記再給紙判定手段は、前記再給紙が可能であると判定した場合であって、前記他の給紙トレイに格納された前記記録紙が前記画像形成部に給紙され、かつ前記他の給紙トレイから給紙された前記記録紙へ再印刷が完了した後に、前記ジャム給紙路にジャムとして残っている前記記録紙に対するジャム状態の解消を促す残紙ジャム通知を前記コントローラへ送信し、
前記コントローラは、前記記録紙の給紙動作の中断を行わないように前記給紙手段を制御することを特徴とする請求項３に記載の画像形成装置。
【請求項５】
前記給紙手段による給紙動作を制御するコントローラをさらに備え、
前記再給紙判定手段は、前記再給紙が可能であると判定した場合、ジャムの発生により前記記録紙の給紙動作を中断する旨のジャム通知を、前記コントローラに送信した後、ジャムの解除動作前に前記他の給紙トレイから前記画像形成部へ前記記録紙を給紙する旨の給紙口変更通知を前記コントローラに送信し、さらに前記記録紙の給紙動作を再開する旨のジャム解除通知を前記コントローラに送信し、
前記コントローラは、前記ジャム通知を受信した場合、前記記録紙の給紙動作を中断し、さらに前記ジャム解除通知を受信した場合、前記記録紙の給紙動作を再開するように前記給紙手段を制御することを特徴とする請求項３に記載の画像形成装置。
【請求項６】
前記再給紙判定手段は、前記ジャム解除通知の送信後に前記他の給紙トレイから給紙された前記記録紙へ再印刷が完了した場合、前記ジャム給紙路にジャムとして残っている前記記録紙に対するジャム状態の解消を促す残紙ジャム通知を前記コントローラへ送信することを特徴とする請求項５に記載の画像形成装置。
【請求項７】
前記接続判定手段は、前記ジャム給紙トレイに格納された前記記録紙のサイズと同一サイズの記録紙を格納する前記給紙トレイを前記他の給紙トレイとして有する前記給紙ユニットが、前記画像形成部に接続されているか否かを判定することを特徴とする請求項１に記載の画像形成装置。
【請求項８】
前記接続判定手段は、前記ジャム給紙トレイに格納された前記記録紙の方向と同一方向の記録紙を格納する前記給紙トレイを前記他の給紙トレイとして有する前記給紙ユニットが前記画像形成部に接続されているか否かを判定することを特徴とする請求項１または７に記載の画像形成装置。
【請求項９】
前記給紙トレイごとのジャム発生回数と、前記給紙トレイの識別情報とを対応付けて記憶する記憶手段をさらに備え、
前記接続判定手段は、前記他の給紙トレイを有する前記給紙ユニットが複数接続されているか否かを判定し、
前記再給紙判定手段は、前記他の給紙トレイを有する前記給紙ユニットが複数接続されていると判定された場合、前記記憶手段を参照して前記ジャム発生回数が最も少ない前記他の給紙トレイから前記再給紙が可能であると判定することを特徴とする請求項１に記載の画像形成装置。
【請求項１０】
前記記憶手段は、さらに、記録紙の給紙回数と、前記給紙トレイの前記識別情報とを対応付けて記憶し、
前記再給紙判定手段は、前記他の給紙トレイを有する前記給紙ユニットが複数接続されていると判定された場合、前記記憶手段を参照して前記ジャム発生回数および前記給紙回数からジャム発生比率が最も少ない前記他の給紙トレイから前記再給紙が可能であると判定することを特徴とする請求項９に記載の画像形成装置。
【請求項１１】
利用者により前記再給紙を行う旨の設定指示を受付ける再給紙設定手段をさらに備え、
前記給紙手段は、前記設定指示を受け付けた場合に、前記他の給紙トレイに格納された前記記録紙を前記画像形成部へ給紙することを特徴とする請求項１に記載の画像形成装置。
【請求項１２】
記録紙を格納する給紙トレイを有する１以上の給紙ユニットと、複数の前記給紙ユニットが着脱可能に接続可能な画像形成装置とから構成された画像形成システムであって、
前記画像形成装置は、
前記記録紙に画像を形成する画像形成部と、
前記給紙トレイから前記画像形成部へ給紙される記録紙の通路となる給紙路ごとに設けられ、前記給紙路中で給紙される前記記録紙のジャムの発生を検知するジャム検知手段と、
前記記録紙のジャムの発生を検知した前記ジャム検知手段が設けられた前記給紙路をジャム給紙路として特定し、前記ジャム給紙路に給紙された前記記録紙が格納されていた前記給紙トレイをジャム給紙トレイとして特定する特定手段と、
前記ジャム給紙トレイ以外の前記給紙トレイである他の給紙トレイを有する給紙ユニットが、前記画像形成装置に接続されているか否かを判定する接続判定手段と、
前記接続判定手段による判定結果と、前記特定されたジャム給紙路とに基づいて、前記他の給紙トレイを有する前記給紙ユニットから前記画像形成部へ前記記録紙を給紙する再給紙が可能か否かを判定する再給紙判定手段と、
前記再給紙が可能であると判定された場合、前記他の給紙トレイに格納された前記記録紙を前記画像形成部へ給紙する給紙手段と、を備え、
前記給紙路は、前記給紙ユニットごとに接続され、かつ前記給紙ユニット内で前記給紙トレイから給紙される前記記録紙の通路となる固有給紙路と、前記１以上の給紙ユニットの給紙路として共通し、かつ前記固有給紙路から前記画像形成部へ給紙される前記記録紙の通路となる共通給紙路とを備え、
前記ジャム検知手段は、前記固有給紙路に設けられ、前記固有給紙路中で給紙される前記記録紙のジャムの発生を検知する第１検知手段と、前記共通給紙路に設けられ、前記共通給紙路中を給紙される前記記録紙のジャムの発生を検知する第２検知手段とを、前記給紙ユニットごとに備え、
前記特定手段は、前記記録紙のジャムの発生を検知した前記第１検知手段が設けられた前記固有給紙路である前記ジャム給紙路に給紙された前記記録紙が格納されていた前記ジャム給紙トレイ、または前記記録紙のジャムの発生を検知した前記第２検知手段が設けられた前記共通給紙路である前記ジャム給紙路に給紙された前記記録紙が格納されていた前記ジャム給紙トレイを特定することを特徴とする画像形成システム。
【請求項１３】
記録紙を格納する給紙トレイを有する１以上の給紙ユニットが着脱可能に接続可能な画像形成装置において実行される画像形成方法であって、
前記画像形成装置は、
前記記録紙に画像を形成する画像形成部と、
前記給紙トレイから前記画像形成部へ給紙される前記記録紙の通路となる給紙路と、
前記給紙トレイから前記画像形成部へ給紙される記録紙の通路となる給紙路ごとに設けられ、前記給紙路中で給紙される前記記録紙のジャムの発生を検知するジャム検知手段と、を備え、
前記給紙路は、前記給紙ユニットごとに接続され、かつ前記給紙ユニット内で前記給紙トレイから給紙される前記記録紙の通路となる固有給紙路と、前記１以上の給紙ユニットの給紙路として共通し、かつ前記固有給紙路から前記画像形成部へ給紙される前記記録紙の通路となる共通給紙路とを備え、
前記ジャム検知手段は、前記固有給紙路に設けられ、前記固有給紙路中で給紙される前記記録紙のジャムの発生を検知する第１検知手段と、前記共通給紙路に設けられ、前記共通給紙路中を給紙される前記記録紙のジャムの発生を検知する第２検知手段とを、前記給紙ユニットごとに備え、
前記記録紙のジャムの発生を検知した前記ジャム検知手段が設けられた前記給紙路をジャム給紙路として特定し、前記ジャム給紙路に給紙された前記記録紙が格納されていた前記給紙トレイをジャム給紙トレイとして特定する特定ステップと、
前記ジャム給紙トレイ以外の前記給紙トレイである他の給紙トレイを有する前記給紙ユニットが接続されているか否かを判定する接続判定ステップと、
前記接続判定ステップによる判定結果と、前記特定されたジャム給紙路とに基づいて、前記他の給紙トレイを有する前記給紙ユニットから前記画像形成部へ前記記録紙を給紙する再給紙が可能か否かを判定する再給紙判定ステップと、
前記再給紙が可能であると判定された場合、前記他の給紙トレイに格納された前記記録紙を前記画像形成部へ給紙する給紙ステップと、を含み、
前記特定ステップは、前記記録紙のジャムの発生を検知した前記第１検知手段が設けられた前記固有給紙路である前記ジャム給紙路に給紙された前記記録紙が格納されていた前記ジャム給紙トレイ、または前記記録紙のジャムの発生を検知した前記第２検知手段が設けられた前記共通給紙路である前記ジャム給紙路に給紙された前記記録紙が格納されていた前記ジャム給紙トレイを特定することを特徴とする画像形成方法。
【発明の詳細な説明】
【技術分野】
【０００１】
本発明は、記録紙を格納する給紙トレイを複数接続可能であって、いずれかの給紙トレイから画像形成部へ給紙された記録紙に印刷を行なう画像形成装置、画像形成システム、および画像形成方法に関するものであり、特に、当該記録紙の給紙時にジャムが発生した場合に当該ジャムのリカバリ処理を行う画像形成装置、画像形成システム、および画像形成方法である。
【背景技術】
【０００２】
一般に、複写機や電子写真プリンタ等の画像形成装置は、記録紙を格納した複数の給紙トレイを有し、これらの給紙トレイから記録紙が給紙可能に構成されている。このような画像形成装置では、転写対象の記録紙の通過を給紙路中で検出する複数の用紙センサと、種々の情報をグラフィック表示可能な表示部を有する操作パネルとを備えている。そして、当該画像形成装置は、用紙センサにより記録紙のジャムが検知された際には、操作パネルの表示部にジャムの発生位置を表示している。また、当該画像形成装置は、ジャムの発生位置とともに、記録紙を排除するための処理方法を表示部に表示し、ユーザに対してジャム対処方法を提示するものもある。
【０００３】
このような記録紙給紙時のジャムへの対応として、レジストローラ付近のジャム処理を容易に行うことのできるシート搬送装置及びそれを備えた画像形成装置が開示されている（例えば、特許文献１参照）。当該シート搬送装置では、レジストローラ及び搬送ローラのシート搬送経路上方に設けられたレジストガイドが、搬送方向上流側を支点として回動可能に支持されており、シート搬送経路の一部を構成する第１の位置と、シート搬送経路の一部を開放する第２の位置とに選択配置される。このため、当該シート搬送装置では、レジストガイドの回動操作を容易に行うことができ、その回動範囲も広く成り、シート搬送経路が広範囲に露出することから、ジャムした記録紙を容易に除去できるものとなっている。
【０００４】
【特許文献１】特開２００７−６２９１７号公報
【発明の開示】
【発明が解決しようとする課題】
【０００５】
ところで、複数の給紙トレイを搭載することのメリットとしては、複数の異なるサイズの記録紙を各給紙トレイから給紙することで手差しトレイに記録紙を逐次載置する煩雑さをなくすことも考えられる。また、ある給紙トレイからの記録紙給紙時においてジャムが発生した場合に、他の給紙トレイからの給紙に切り換えることで印刷をスムーズに完了させることもメリットとして挙げられる。そして、ジャムに対する迅速なリカバリ処理を行って画像形成装置の生産性を向上させるためには、上述したような複数の給紙トレイという構成の特徴を活かした対応も有効である。
【０００６】
しかしながら、上記特許文献１の発明は、記録紙の除去によりジャムのリカバリを行う対応であり、ジャムで給紙不可となった給紙トレイ以外の給紙トレイをうまく活用できてなく、また、除去作業時間の分だけタイムロスが生じて生産性の低下を招くおそれがある。
【０００７】
本発明は、上記に鑑みてなされたものであって、複数の給紙トレイが接続された状態において記録紙のジャムが発生した場合、これら複数の給紙トレイを効率よく活用してジャムに対する迅速なリカバリ処理を行い、生産性を向上させることが可能な画像形成装置、
画像形成システム、および画像形成方法を提供することを目的とする。
【課題を解決するための手段】
【０００８】
上述した課題を解決し、目的を達成するために、本発明は、記録紙を格納する給紙トレイを有する１以上の給紙ユニットが着脱可能に接続可能な画像形成装置であって、前記記録紙に画像を形成する画像形成部と、前記給紙トレイから前記画像形成部へ給紙される記録紙の通路となる給紙路ごとに設けられ、前記給紙路中で給紙される前記記録紙のジャムの発生を検知するジャム検知手段と、前記記録紙のジャムの発生を検知した前記ジャム検知手段が設けられた前記給紙路をジャム給紙路として特定し、前記ジャム給紙路に給紙された前記記録紙が格納されていた前記給紙トレイをジャム給紙トレイとして特定する特定手段と、前記ジャム給紙トレイ以外の前記給紙トレイである他の給紙トレイを有する前記給紙ユニットが、前記画像形成装置に接続されているか否かを判定する接続判定手段と、前記接続判定手段による判定結果と、前記特定されたジャム給紙路とに基づいて、前記他の給紙トレイを有する前記給紙ユニットから前記画像形成部へ前記記録紙を給紙する再給紙が可能か否かを判定する再給紙判定手段と、前記再給紙が可能であると判定された場合、前記他の給紙トレイに格納された前記記録紙を前記画像形成部へ給紙する給紙手段と、を備え、前記給紙路は、前記給紙ユニットごとに接続され、かつ前記給紙ユニット内で前記給紙トレイから給紙される前記記録紙の通路となる固有給紙路と、前記１以上の給紙ユニットの給紙路として共通し、かつ前記固有給紙路から前記画像形成部へ給紙される前記記録紙の通路となる共通給紙路とを備え、前記ジャム検知手段は、前記固有給紙路に設けられ、前記固有給紙路中で給紙される前記記録紙のジャムの発生を検知する第１検知手段と、前記共通給紙路に設けられ、前記共通給紙路中を給紙される前記記録紙のジャムの発生を検知する第２検知手段とを、前記給紙ユニットごとに備え、前記特定手段は、前記記録紙のジャムの発生を検知した前記第１検知手段が設けられた前記固有給紙路である前記ジャム給紙路に給紙された前記記録紙が格納されていた前記ジャム給紙トレイ、または前記記録紙のジャムの発生を検知した前記第２検知手段が設けられた前記共通給紙路である前記ジャム給紙路に給紙された前記記録紙が格納されていた前記ジャム給紙トレイを特定することを特徴とする。
【０００９】
また、本発明は、記録紙を格納する給紙トレイを有する１以上の給紙ユニットと、複数の前記給紙ユニットが着脱可能に接続可能な画像形成装置とから構成された画像形成システムであって、前記画像形成装置は、前記記録紙に画像を形成する画像形成部と、前記給紙トレイから前記画像形成部へ給紙される記録紙の通路となる給紙路ごとに設けられ、前記給紙路中で給紙される前記記録紙のジャムの発生を検知するジャム検知手段と、前記記録紙のジャムの発生を検知した前記ジャム検知手段が設けられた前記給紙路をジャム給紙路として特定し、前記ジャム給紙路に給紙された前記記録紙が格納されていた前記給紙トレイをジャム給紙トレイとして特定する特定手段と、前記ジャム給紙トレイ以外の前記給紙トレイである他の給紙トレイを有する給紙ユニットが、前記画像形成装置に接続されているか否かを判定する接続判定手段と、前記接続判定手段による判定結果と、前記特定されたジャム給紙路とに基づいて、前記他の給紙トレイを有する前記給紙ユニットから前記画像形成部へ前記記録紙を給紙する再給紙が可能か否かを判定する再給紙判定手段と、前記再給紙が可能であると判定された場合、前記他の給紙トレイに格納された前記記録紙を前記画像形成部へ給紙する給紙手段と、を備え、前記給紙路は、前記給紙ユニットごとに接続され、かつ前記給紙ユニット内で前記給紙トレイから給紙される前記記録紙の通路となる固有給紙路と、前記１以上の給紙ユニットの給紙路として共通し、かつ前記固有給紙路から前記画像形成部へ給紙される前記記録紙の通路となる共通給紙路とを備え、前記ジャム検知手段は、前記固有給紙路に設けられ、前記固有給紙路中で給紙される前記記録紙のジャムの発生を検知する第１検知手段と、前記共通給紙路に設けられ、前記共通給紙路中を給紙される前記記録紙のジャムの発生を検知する第２検知手段とを、前記給紙ユニットごとに備え、前記特定手段は、前記記録紙のジャムの発生を検知した前記第１検知手段が設けられた前記固有給紙路である前記ジャム給紙路に給紙された前記記録紙が格納されていた前記ジャム給紙トレイ、または前記記録紙のジャムの発生を検知した前記第２検知手段が設けられた前記共通給紙路である前記ジャム給紙路に給紙された前記記録紙が格納されていた前記ジャム給紙トレイを特定することを特徴とする。
【００１０】
また、本発明は、記録紙を格納する給紙トレイを有する１以上の給紙ユニットが着脱可能に接続可能な画像形成装置において実行される画像形成方法であって、前記画像形成装置は、前記記録紙に画像を形成する画像形成部と、前記給紙トレイから前記画像形成部へ給紙される前記記録紙の通路となる給紙路と、前記給紙トレイから前記画像形成部へ給紙される記録紙の通路となる給紙路ごとに設けられ、前記給紙路中で給紙される前記記録紙のジャムの発生を検知するジャム検知手段と、を備え、前記給紙路は、前記給紙ユニットごとに接続され、かつ前記給紙ユニット内で前記給紙トレイから給紙される前記記録紙の通路となる固有給紙路と、前記１以上の給紙ユニットの給紙路として共通し、かつ前記固有給紙路から前記画像形成部へ給紙される前記記録紙の通路となる共通給紙路とを備え、前記ジャム検知手段は、前記固有給紙路に設けられ、前記固有給紙路中で給紙される前記記録紙のジャムの発生を検知する第１検知手段と、前記共通給紙路に設けられ、前記共通給紙路中を給紙される前記記録紙のジャムの発生を検知する第２検知手段とを、前記給紙ユニットごとに備え、前記記録紙のジャムの発生を検知した前記ジャム検知手段が設けられた前記給紙路をジャム給紙路として特定し、前記ジャム給紙路に給紙された前記記録紙が格納されていた前記給紙トレイをジャム給紙トレイとして特定する特定ステップと、前記ジャム給紙トレイ以外の前記給紙トレイである他の給紙トレイを有する前記給紙ユニットが接続されているか否かを判定する接続判定ステップと、前記接続判定ステップによる判定結果と、前記特定されたジャム給紙路とに基づいて、前記他の給紙トレイを有する前記給紙ユニットから前記画像形成部へ前記記録紙を給紙する再給紙が可能か否かを判定する再給紙判定ステップと、前記再給紙が可能であると判定された場合、前記他の給紙トレイに格納された前記記録紙を前記画像形成部へ給紙する給紙ステップと、を含み、前記特定ステップは、前記記録紙のジャムの発生を検知した前記第１検知手段が設けられた前記固有給紙路である前記ジャム給紙路に給紙された前記記録紙が格納されていた前記ジャム給紙トレイ、または前記記録紙のジャムの発生を検知した前記第２検知手段が設けられた前記共通給紙路である前記ジャム給紙路に給紙された前記記録紙が格納されていた前記ジャム給紙トレイを特定することことを特徴とする。
【発明の効果】
【００１１】
本発明によれば、複数の給紙トレイが接続された状態において記録紙のジャムが発生した場合、ジャムが発生した記録紙が格納されていた給紙トレイ以外であって、給紙が可能な給紙トレイにより記録紙の再給紙を行うことで、複数の給紙トレイを効率よく活用して
ジャムに対する迅速なリカバリ処理を行い、生産性を向上させるという効果を奏する。
【発明を実施するための最良の形態】
【００１２】
以下に添付図面を参照して、この発明にかかる画像形成装置、画像形成方法、および画像形成システムの最良な実施の形態を詳細に説明する。以下の実施の形態では、画像形成装置をレーザプリンタに適用した例を説明する。なお、以下の実施の形態の画像形成装置は、レーザプリンタに限定されるものではなく、後述する構成を具備する限り、コピー、ファックス、プリンタなどの複数の機能を一つの筐体に収納した複合機（ＭＦＰ：Multi
Function  Peripherals）や電子写真方式コピー機などに適用することができる。また
、以下の実施の形態では、記録紙として用紙を用いて画像形成（印刷）を行う例を示しているが、これに限定されることなく、プリンタ等による画像形成が可能であれば、例えばＯＨＰシート等を用いてもよい。
【００１３】
（実施の形態１）
まず、本実施の形態のレーザプリンタの構成の概略について説明する。図１は、実施の形態１にかかるレーザプリンタのユニット構成を示した概略図である。
【００１４】
レーザプリンタ１は、本体ユニット１１０、両面ユニット１２０、メイルボックスユニット１３０、フィニッシャユニット１４０、給紙ユニット１５０から構成される。
【００１５】
本体ユニット１１０は、不図示のレジストユニットおよび定着ユニットなど用紙に画像を印刷（形成）する画像形成部を備えており、作像や現像や定着などの印刷処理（画像形成処理）全体を制御したり、印刷される記録媒体である用紙の給紙を行うユニットである。
【００１６】
両面ユニット１２０は、両面印刷を行うために反転機構（スイッチバック）により用紙（記録紙）を反転し、反転後の再給紙を行う。
【００１７】
メイルボックスユニット１３０は、用紙を排出する複数の排紙口を備え、任意の排紙口に印刷結果（印刷後の用紙）を排紙する。なお、本実施の形態では２ビン具備している。
【００１８】
フィニッシャユニット１４０は、ジョブ印刷ごとにシフトして仕分けするスタック処理、ステープル処理等の後処理を行う。
【００１９】
給紙ユニット１５０は、用紙を格納する給紙トレイを備え、レジストまでの用紙の給紙搬送を管理する。詳細は後述するが、給紙ユニット１５０は、複数の給紙ユニットを連結して接続することが可能である。また、給紙ユニット１５０は、各給紙トレイから給紙される用紙の通路となる固有給紙路と、複数の給紙トレイの給紙路として共通し、固有給紙路から本体ユニット１１０の画像形成部へ給紙される用紙の通路となる共通給紙路とが複数の給紙ユニット内に設けられている。
【００２０】
次に、本実施の形態のレーザプリンタの用紙給紙経路等について説明する。図２は、実施の形態１にかかるレーザプリンタにおける用紙の給紙経路および各機構の配置関係を示す説明図である。図２に示すように、レーザプリンタ１には、搬送ローラＲ１、レジストローラＲ２、レジストセンサＳ１、感光体ユニット（ＯＰＣ）Ｏ１、現像ユニットＴ１、転写ユニットＴ２、クリーニングユニットＣ１、光学系書き込みユニットＰ１、定着加熱ローラＦ１、定着加圧ローラＦ２、分岐ソレノイドＣＬ１、分岐上ソレノイドＣＬ２、分岐下ソレノイドＣＬ３、メイルボックス排紙部Ｅ１、およびメイルボックス排紙部Ｅ２が主に備えられている。
【００２１】
以下では、用紙の給紙から排紙までにおける印刷の流れについて説明する。まず、搬送ローラＲ１が給紙ユニット１５０から給送された用紙を１枚ずつ搬送し、用紙がレジストセンサＳ１に到達すると、レジストローラＲ２は回転を止めて搬送を一旦停止する。
【００２２】
用紙が停止している間に、本体ユニット１１０では、以下の処理を行う。つまり、図示しない帯電器が帯電した後、光学系書き込みユニットＰ１の光走査装置がレーザ光αを照射して、感光体ユニットＯ１の感光体の照射された部分と照射されていない部分とで電位差を生じさせる。そして、この電位差から、現像ユニットＴ１の現像器でトナーが均等に付着した現像ローラ上のトナーを感光体に載せて現像を行う。
【００２３】
一方、感光体に書き込まれたトナー像を転写ユニットＴ２で転写するタイミングを計り、レジストローラＲ２が回転することにより、レジストセンサＳ１で停止している用紙の搬送を再開する。用紙は転写ユニットＴ２を通過することによりトナー像が転写される。トナー像の転写が終わると、クリーニングユニットＣ１が感光体表面における転写処理により残ったトナーを除去される。トナー像が転写された用紙は、定着加熱ローラＦ１および定着加圧ローラＦ２に搬送され、熱と圧力によりトナーが定着され、以後、所定のソノレイドＣＬ１〜ＣＬ３およびセンサのタイミングにより、いずれかの排紙部（フィニッシャユニット１４０、両面ユニット１２０、メイルボックスユニット１３０）まで搬送され排紙される。また、定着が終わった用紙は、排紙先である両面ユニット１２０へ排紙され、反転給紙することにより両面印刷が可能となる。
【００２４】
ソノレイドとは、用紙の搬送先を切り換える部分である。例えば、分岐ソレノイドＣＬ１は、定着加熱ローラＦ１及び定着加圧ローラＦ２で定着されて搬送されてきた用紙をフィニッシャユニット１４０、両面ユニット１２０、メイルボックスユニット１３０のいずれかのユニットへ搬送するように切り換える。また、分岐上ソレノイドＣＬ２は、分岐ソレノイドＣＬ１での切り換えにより搬送されてきた用紙をメイルボックス排紙部Ｅ１あるいはメイルボックス排紙部Ｅ２のいずれかのビンに排紙するように切り換える。また、分岐下ソレノイドＣＬ３は、分岐ソレノイドＣＬ１での切り換えにより搬送されてきた用紙について両面での反転切り換えを行う。
【００２５】
次に、本実施の形態のレーザプリンタの制御系について説明する。図３は、実施の形態１にかかるレーザプリンタの制御系の構成を示すブロック図である。
【００２６】
レーザプリンタ１は、ホストマシン２０とのインターフェイス制御及び画像データの編集制御を行うコントローラ２と、画像形成のための機械制御、画像書き込み、給紙制御、状態監視等を行うエンジン３とを中心に構成されている。
【００２７】
ホストマシン２０は、一般的なコンピュータであり、ユーザの各種操作に応じて、レーザプリンタ１とデータの送受信を行う。
【００２８】
コントローラ２は、ホストインターフェイス６と、プログラムＲＯＭ（Read  Only  Member）７と、フォントＲＯＭ８と、パネルインターフェイス９と、コントローラＣＰＵ１０と、ＲＡＭ（Random  Access  Memory）１１と、オプションＲＡＭ１２と、エンジンインターフェイス１３とを主に備えている。また、コントローラ２は、ホストインターフェイス６を介してホストマシン２０と接続され、パネルインターフェイス９を介して、ユーザからの操作が入力されるオペレーションパネル５と接続され、更に、各種フォントが記憶されているフォントカートリッジ４と接続されている。
【００２９】
また、本実施の形態におけるコントローラ２は、エンジン３からジャムの発生により用紙の給紙動作を中断する旨のジャム通知を受信した場合、エンジン３における用紙の給紙
動作を中断させて、印刷を停止させる制御を行う。また、コントローラ２は、エンジン３から用紙の給紙動作を再開する旨のジャム解除通知を受信した場合、エンジン３における用紙の給紙動作を再開させて、中断した箇所から再印刷する制御を行う。
【００３０】
ホストインターフェイス６は、ホストマシン２０とのインターフェイス制御を行う。プログラムＲＯＭ７は、画像データの編集や、コントローラ２全体の制御を行うためのプログラムを格納している。フォントＲＯＭ８は、印刷において用いる標準的なフォントを格納している。パネルインターフェイス９は、オペレーションパネル５とのインターフェイス制御を行い、オペレーションパネル５にてユーザとのインターフェイスを行う。
【００３１】
コントローラＣＰＵ１０は、プログラムＲＯＭ７に記憶された各種プログラムを実行することにより、ホストマシン２０とのデータの送受信を制御したり、画像処理を制御することなどにより、コントローラ２の全体的な制御を行う。ＲＡＭ１１、およびオプションＲＡＭ１２は、処理や制御を行うプログラムや画像等のデータが展開されるメモリである。エンジンインターフェイス１３は、コントローラ２とエンジン３の間のインターフェイスである。
【００３２】
エンジン３は、エンジンＣＰＵ２００と、割り込み回路２０１と、コントローラインターフェイス２１１と、オプションインターフェイス２１２と、フラッシュＲＯＭ２０５と、入力ポート２０８と、出力ポート２１０と、ＥＥＰＲＯＭ（Ｍ２）２１４と、エンジンＲＯＭ２０４と、ＲＡＭ２０３と、ＤＩＰＳＷ２１８と、各センサ２１７と、各モータ２１６と、各クラッチ２１５と、各高圧プロセス２１９とを主に備えている。
【００３３】
エンジンＣＰＵ２００は、エンジン全体を制御プログラムに従って統括的に制御する。割り込み回路２０１は、割り込み状態を制御する回路である。コントローラインターフェイス２１１は、エンジンインターフェイス１３を介してコントローラ２とのインターフェイス制御を行う。オプションインターフェイス２１２は、オプション１４に対するインターフェイス処理を行う。
【００３４】
フラッシュＲＯＭ２０５は、各種プログラムや各種データを記憶するものである。入力ポート２０８は、画像形成に関わる各設定条件や装置の状態等の入力処理を行う。出力ポート２１０は、画像形成プロセスを実現するための所定の出力処理を行う。ＥＥＰＲＯＭ（Ｍ２）２１４は、メンテナンス情報等を記憶する。エンジンＲＯＭ２０４は、エンジン制御用のプログラム等を格納している。ＲＡＭ２０３は、バッファレジスタの機能を持ちワーキングメモリとして用いられる。
【００３５】
ＤＩＰＳＷ２１８は、制御モード等の切り替え設定を行う。各センサ２１７は、輸送タイミングや温度、トナー濃度等を検知する。各モータ２１６は、メインモータや搬送モータ等からなる。各クラッチ２１５は、給紙ローラやレジストローラ等を駆動または停止する。各高圧プロセス２１９は、帯電、転写、現像等の高圧印加を行う。
【００３６】
また、エンジン３には、ＥＥＰＲＯＭ（Ｍ１）２２２を有する交換ユニット２２１が接続されている。
【００３７】
次に、本実施の形態のレーザプリンタの給紙ユニットについて説明する。図４は、実施の形態１にかかるレーザプリンタの給紙ユニットの構成を示す概略図である。図５は、実施の形態１にかかるレーザプリンタの給紙ユニットの構成の詳細を示す説明図である。
【００３８】
給紙ユニット１５０（図１参照）は、図４に示すように、第１給紙ユニット１５０ａと、第２給紙ユニット１５０ｂと、第３給紙ユニット１５０ｃとが、各給紙ユニット内の共
通給紙路１５８ａ、１５８ｂ、１５８ｃが連続した給紙路を形成するように連結して配置され、第１給紙ユニット１５０ａ側から本体ユニット１１０に接続されている。
【００３９】
また、各給紙ユニットは、レーザプリンタの本体ユニットに着脱可能に接続されている。なお、本実施の形態では、給紙ユニットが３つ接続されているが、これに限定されることはなく、給紙ユニットの数を増減して、すなわち２つまたは４つ以上の給紙ユニットを接続することも可能である。また、以下の実施の形態では、第１給紙ユニット１５０ａと、第２給紙ユニット１５０ｂと、第３給紙ユニット１５０ｃのうち任意の給紙ユニットを表す場合、それらの給紙ユニットの総称として給紙ユニット１５０と表記し、内部の各構成についても同様に、センサ１５２、１５４、搬送ローラ１５１、給紙ローラ１５３、固有給紙路１５９、共通給紙路１５８と表記する（例えば、図５参照）。
【００４０】
なお、本実施の形態のレーザプリンタでは、単一の給紙ユニットが接続されている場合でも、複数の給紙ユニットが接続されている場合でも、後述する再印刷判定処理はフラッシュＲＯＭ２０５に予め組み込まれている。このため、後日、給紙ユニットを追加する場合でも、再印刷判定処理プログラムを新たにインストールする必要がなく、カスタマイズ作業の効率化を図ることができる。
【００４１】
図５に示すように、給紙ユニット１５０の内部には、図示しない給紙トレイから、本体ユニット１１０（図２参照）の画像形成部へ給紙される用紙の通路として、共通給紙路１５８および固有給紙路１５９の二つの給紙路が設けられている。ここで、本体ユニット１１０の画像形成部とは、感光体ユニット（ＯＰＣ）Ｏ１、現像ユニットＴ１、転写ユニットＴ２、クリーニングユニットＣ１、光学系書き込みユニットＰ１、定着加熱ローラＦ１、定着加圧ローラＦ２等（図２参照）、給紙されてきた用紙に画像を印刷する構成を示している。また、給紙ユニット１５０の内部には、共通給紙路１５８上の用紙を本体ユニット１１０のレジストローラＲ２（図２参照）に向けて搬送する搬送ローラ１５１と、センサ１５２と、図示しない給紙トレイから用紙を給送する給紙ローラ１５３と、センサ１５４等が配置されている。
【００４２】
ここで、固有給紙路１５９とは、給紙ユニット１５０の下方に備えられた給紙トレイごとに接続され、該給紙トレイから給紙される用紙の通路となる給紙路であり、給紙ユニット１５０の下部から左側に亘って設けられている。また、共通給紙路１５８とは、複数の給紙ユニットにおける給紙路として共通し、固有給紙路１５９から画像形成部へ給紙される用紙の通路となる給紙路であり、給紙ユニット１５０の右側から左側に亘って設けられている。
【００４３】
センサ１５４は、固有給紙路１５９ごとに設けられ、固有給紙路１５９中で給紙される用紙のジャムの発生を検知するものである。また、センサ１５２は、共通給紙路１５８ごとに設けられ、共通給紙路１５８中を給紙される用紙のジャムの発生を検知するものである。
【００４４】
このように、給紙ユニット１５０は、複数のユニットの構成が共通化されていることで、配置される順番が入れ替わっても用紙が共通給紙路１５８を搬送可能な構成となっている。また、給紙ユニット１５０は、連続した共通給紙路１５８に達する前の固有給紙路１５９上でジャムが発生した場合には、他の給紙ユニットからの再給紙が可能な構成となっている。
【００４５】
次に、エンジン３によって実行されるエンジン全体の制御について説明する。図６は、実施の形態１にかかるレーザプリンタにおけるエンジンの機能的構成を示すブロック図である。
【００４６】
エンジン３は、特定部３０１と、接続判定部３０２と、再給紙判定部３０３と、再給紙設定部３０４と、給紙部３０５を主に備えており、フラッシュＲＯＭ２０５と、第１給紙ユニット１５０ａと、第２給紙ユニット１５０ｂと、第３給紙ユニット１５０ｃとが接続されている。
【００４７】
第１給紙ユニット１５０ａは、センサ１５２ａ、センサ１５４ａ、給紙トレイ１５５ａとを主に備えている。また、第２給紙ユニット１５０ｂは、センサ１５２ｂ、センサ１５４ｂ、給紙トレイ１５５ｂとを主に備え、第３給紙ユニット１５０ｃは、センサ１５２ｃ、センサ１５４ｃ、給紙トレイ１５５ｃとを主に備えている。なお、各給紙ユニットの詳細は上述したため、ここでは説明を省略する（図４、５参照）。
【００４８】
特定部３０１は、いずれかのセンサが用紙のジャムの発生を検知した場合、該用紙のジャムの発生を検知したセンサが設けられた位置により、ジャムが発生した給紙路（以下、「ジャム給紙路」という。）を特定する。また、特定部３０１は、ジャム給紙路に給紙された用紙が格納されていた給紙トレイ（以下、「ジャム給紙トレイ」という。）を特定する。
【００４９】
すなわち、例えば、特定部３０１は、給紙ユニットにおけるいずれかの固有給紙路１５９に設けられたセンサ１５４が用紙のジャムの発生を検知した場合、該ジャムを検知したセンサ１５４からセンサの識別情報（センサ識別情報）を含む検知信号を受信する。そして、特定部３０１は、受信した検知信号に含まれるセンサ識別情報からジャムを検知したセンサ１５４を特定する。次に、特定部３０１は、予めフラッシュＲＯＭ２０５等に記憶されている、センサ識別情報とセンサを設置した給紙路の識別情報（給紙路識別情報）とを対応付けた特定情報を参照して、特定したセンサ識別情報に対応する給紙路識別情報の給紙路である固有給紙路１５９をジャム給紙路として特定し、その特定された固有給紙路１５９に給紙された用紙を格納する給紙トレイを、ジャムを発生させた用紙が格納されていたジャム給紙トレイとして特定する。
【００５０】
また、例えば、特定部３０１は、給紙ユニットにおけるいずれかの共通給紙路１５８に設けられたセンサ１５２が用紙のジャムの発生を検知した場合、該ジャムを検知したセンサ１５２からセンサ識別情報を含む検知信号を受信する。そして、特定部３０１は、受信した検知信号に含まれるセンサ識別情報からジャムを検知したセンサ１５２を特定する。次に、特定部３０１は、上述した特定情報を参照して、特定したセンサ識別情報に対応する給紙路識別情報の給紙路である共通給紙路１５８をジャム給紙路として特定し、その特定された共通給紙路１５８より前に用紙が通過した固有給紙路１５９に給紙された用紙を格納する給紙トレイを、ジャムを発生させた用紙が格納されていたジャム給紙トレイとして特定する。
【００５１】
接続判定部３０２は、用紙のジャムが発生し、特定部３０１により特定されたジャム給紙トレイ以外の給紙トレイであって、特定されたジャム給紙トレイに格納された用紙のサイズと同一サイズの用紙を格納する給紙トレイ（以下、「他の給紙トレイ」という。）を有する給紙ユニットがレーザプリンタ１に接続されているか否かを判定するものである。また、接続判定部３０２は、他の給紙トレイを有する給紙ユニットがレーザプリンタ１に複数接続されているか否かを判定する。
【００５２】
ここで、給紙トレイに格納された用紙のサイズが同一サイズか否かの判定とは、例えば、本体ユニット１１０に接続されている給紙トレイに用紙が格納された際に、該給紙トレイの内部に設置されたセンサが用紙の縦方向および横方向の長さを検知することで、格納された用紙のサイズを取得する。もしくは、給紙トレイの内部に設置された機械的なスイ
ッチが押下されたか否かを検知することで、格納された用紙のサイズを取得する。そして、上記のように取得した用紙のサイズを、給紙トレイの識別情報と対応付けて、フラッシュＲＯＭ２０５等に記憶させておく。
【００５３】
そして、用紙のジャムが発生した場合、フラッシュＲＯＭ２０５を参照し、特定部３０１により特定されたジャム給紙トレイに格納されている用紙のサイズを取得し、取得したサイズとジャム給紙トレイ以外の給紙トレイに格納されている用紙のサイズとを比較して、同一サイズの用紙が格納されている給紙トレイを有する給紙ユニットが接続されているか否かを判定する。
【００５４】
再給紙判定部３０３は、用紙のジャムが発生し、接続判定部３０２により他の給紙トレイを有する給紙ユニットが接続されていると判定された場合、特定部３０１により特定されたジャム給紙路に設けられたセンサの位置に基づいて、その他の給紙トレイから画像形成部へ用紙を給紙する再給紙が可能か否かを判定するものである。
【００５５】
具体的には、再給紙判定部３０３は、用紙のジャムが発生し、接続判定部３０２により他の給紙トレイを有する給紙ユニットが接続されていると判定された場合であって、ジャム給紙路がいずれかの固有給紙路１５９であった場合、該他の給紙トレイからの再給紙が可能であると判定する。
【００５６】
また、再給紙判定部３０３は、用紙のジャムが発生し、接続判定部３０２により他の給紙トレイを有する給紙ユニットが接続されていると判定された場合であって、いずれかの共通給紙路１５８がジャム給紙路であると特定され、かつ他の給紙トレイから給紙される用紙が、その特定された共通給紙路１５８より用紙の給紙方向の下流側、つまり本体ユニット１１０側に位置する共通給紙路１５８のみを通過する場合、他の給紙トレイからの再給紙が可能であると判定する。
【００５７】
以下に、用紙のジャムが発生した場合に、再給紙判定部３０３による他の給紙トレイからの再給紙が可能か否かの判定について詳細に説明する。図７は、ジャムの発生を検知したセンサと再給紙が可能な各給紙ユニットとの関係を示す図である。この図７および、上述した図６を参照して再給紙判定処理について説明する。なお、図７の場合は、各給紙トレイに格納された用紙のサイズが同一サイズであることを前提とする。
【００５８】
まず、図６に示すように、各給紙ユニットの固有給紙路１５９ａ、１５９ｂ、１５９ｃに設けられたセンサ１５４ａ、１５４ｂ、１５４ｃが用紙のジャムの発生を検知した場合でも、各給紙ユニットの給紙トレイから給紙された用紙が共通して通過する共通給紙路１５８ａ、１５８ｂ、１５８ｃのいずれの給紙路において用紙の通過が可能である。従って、固有給紙路１５９ａ、１５９ｂ、１５９ｃにおいて用紙のジャムが発生しても、ジャム給紙トレイを有する給紙ユニット以外の給紙ユニットの給紙トレイからの再給紙が可能となる。
【００５９】
具体的には、センサ１５４ａによりジャムの発生を検知した場合、第２給紙ユニット１５０ｂ、第３給紙ユニット１５０ｃの給紙トレイからの再給紙が可能となる。同様に、センサ１５４ｂによりジャムの発生を検知した場合、第１給紙ユニット１５０ａ、第３給紙ユニット１５０ｃの給紙トレイからの再給紙が可能となる。また、センサ１５４ｃによりジャムの発生を検知した場合、第１給紙ユニット１５０ａ、第２給紙ユニット１５０ｂの給紙トレイからの再給紙が可能となる。
【００６０】
次に、共通給紙路１５８ａに設けられたセンサ１５２ａにより用紙のジャムの発生を検知した場合には、第２給紙ユニット１５０ｂ、第３給紙ユニット１５０ｃの給紙トレイか
ら給紙される用紙が共通給紙路１５８ａを通過できないため、いずれの給紙ユニットの給紙トレイからも再給紙ができない。
【００６１】
また、共通給紙路１５８ｂに設けられたセンサ１５２ｂにより用紙のジャムの発生を検知した場合には、第３給紙ユニット１５０ｃの給紙トレイから給紙される用紙が共通給紙路１５８ｂを通過できないため、第３給紙ユニット１５０ｃからの再給紙はできない。しかし、第１給紙ユニット１５０ａの給紙トレイから給紙される用紙は共通給紙路１５８ｂを通過する必要がないため、第１給紙ユニット１５０ａの給紙トレイからの再給紙は可能となる。
【００６２】
また、共通給紙路１５８ｃに設けられたセンサ１５２ｃにより用紙のジャムの発生を検知した場合には、第１給紙ユニット１５０ａ、第２給紙ユニット１５０ｂの給紙トレイから給紙される用紙は共通給紙路１５８ｃを通過する必要がないため、第１給紙ユニット１５０ａ、第２給紙ユニット１５０ｂの給紙トレイからの再給紙が可能となる。
【００６３】
図６に戻って、再給紙判定部３０３は、用紙のジャムが発生した後、いずれかの給紙トレイからの再給紙が可能であると判定した場合、ジャムの発生により用紙の給紙動作を中断する旨のジャム通知を、コントローラ２に送信する。その後に、再給紙判定部３０３は、ジャムの解除動作前に他の給紙トレイから画像形成部へ用紙を給紙する旨の給紙口変更通知をコントローラ２に送信する。さらに、再給紙判定部３０３は、用紙の給紙動作を再開する旨のジャム解除通知をコントローラ２に送信する。これらの通知をコントローラ２に送信することにより、後述する給紙部３０５による給紙動作を制御するコントローラ２は、ジャム通知を受信した場合、用紙の給紙動作を中断し、さらにジャム解除通知を受信した場合、用紙の給紙動作を再開するように給紙部３０５を制御することが可能となる。
【００６４】
また、再給紙判定部３０３は、ジャム解除通知の送信後に他の給紙トレイから給紙された用紙を再給紙して、該用紙に対する再印刷が完了した場合、ジャム給紙路にジャムとして残っている用紙に対するジャム状態の解消を促す残紙ジャム通知をコントローラ２へ送信する。そして、残紙ジャム通知を受信したコントローラ２は、オペレーションパネル５（図３参照）等にその旨を表示する等の対処を行う。
【００６５】
また、再給紙判定部３０３は、用紙のジャムが発生した後、再給紙が可能な他の給紙トレイを有する給紙ユニットが複数接続されていると判定された場合、フラッシュＲＯＭ２０５を参照して給紙ユニットのジャムの発生回数および給紙回数からジャム発生比率を求め、該ジャム発生比率が最も少ない他の給紙トレイから再給紙が可能であると判定する。また、再給紙判定部３０３は、用紙のジャムが発生した後、再給紙が可能な他の給紙トレイを有する給紙ユニットが複数接続されていると判定された場合、フラッシュＲＯＭ２０５を参照して、ジャムの発生回数が最も少ない他の給紙トレイから再給紙が可能であると判定してもよい。
【００６６】
再給紙設定部３０４は、利用者により、用紙のジャムが発生した後に再給紙を行う旨の設定指示を受付けるものである。
【００６７】
給紙部３０５は、給紙トレイ１５５ａ、給紙トレイ１５５ｂ、給紙トレイ１５５ｃに格納された用紙を画像形成部へ給紙するものである。また、給紙部３０５は、再給紙設定部３０４により設定指示を受け付けた場合であって、いずれかの給紙路において用紙のジャムの発生した後に、再給紙判定部３０３によって再給紙が可能であると判定された場合、給紙が可能な他の給紙トレイに格納された用紙を画像形成部へ給紙する。
【００６８】
フラッシュＲＯＭ２０５は、各給紙ユニットに備えられた給紙トレイごとのジャムの発
生回数と、用紙の給紙回数と、該給紙トレイの識別情報とを対応付けて記憶するものである。
【００６９】
次に、以上のように構成された本実施の形態にかかるレーザプリンタ１の全体制御の動作について説明する。図８は、実施の形態１にかかるレーザプリンタの全体制御の流れを示すフローチャートである。
【００７０】
まず、電源が投入されると（ステップＳ４００）、レーザプリンタ１は、最初に各状態の初期設定を行い（ステップＳ４０１）、メンテナンス発生要求やエラー発生等のエンジン３の内部状態のチェックする（ステップＳ４０２）。次に、レーザプリンタ１は、エンジン３とコントローラ２間のインターフェイス制御（給紙命令の受信、解像度設定要求の受信、給紙口や排紙口の切り換え要求の受信等）を行い（ステップＳ４０３）、給紙のタイミングや高圧のオン／オフ等のシーケンス制御を行う（ステップＳ４０４）。そして、レーザプリンタ１は、印刷対象の用紙の情報を管理する処理を行い（ステップＳ４０５）、印刷処理を制御する（ステップＳ４０６）。以降、ステップＳ４０２〜４０６の処理を繰り返す。
【００７１】
一方で、レーザプリンタ１は、上記メインシーケンスとは独立して、割り込み回路２０１（図３）によって、後述するように、各処理を行うための時間監視及び制御のための割り込み処理を実行する。
【００７２】
図９は、実施の形態１にかかるレーザプリンタの割り込み制御の流れを示すフローチャートである。まず、電源が投入された後（ステップＳ５００）、エンジンＣＰＵ２００が設定した所定時間ごとに、このルーチンに入って必要な処理を行う。すなわち、エンジンＣＰＵ２００は、所定の時間になると、割り込み制御が発生したか否かをチェックする（ステップＳ５０１）。そして、割り込みが発生した場合（ステップＳ５０１：Ｙｅｓ）、エンジンＣＰＵ２００は、割り込みに応じた処理を行う（ステップＳ５０２）。一方、割り込みが発生しなかった場合（ステップＳ５０１：Ｎｏ）、エンジンＣＰＵ２００は、終了となる。
【００７３】
次に、本実施の形態にかかるレーザプリンタ１が行う用紙のジャム発生後のリカバリ処理について説明する。図１０は、実施の形態１における用紙のジャム発生後のリカバリ処理の流れを示すフローチャートである。
【００７４】
まず、センサ１５２あるいはセンサ１５４がジャムの発生を検知すると（ステップＳ８０１）、エンジンＣＰＵ２００は、ジャムが発生した給紙路が設けられた給紙ユニット以外の給紙ユニットの給紙トレイによる再給紙が可能か否かの判定をセンサの検知結果に基づいて行う（ステップＳ８０２）。そして、エンジンＣＰＵ２００は、再給紙が可能か否かの判定結果に基づいてメッセージ通知および再給紙・再印刷を行う（ステップＳ８０３）。
【００７５】
再給紙判定処理（図１０のステップＳ８０２）について詳細な流れを図１１あるいは図１２に示し、メッセージ通知および再給紙・再印刷処理（図１０のステップＳ８０３）については図１３に示す。なお、再給紙判定処理は、利用者から、用紙のジャムが発生した後に再給紙を行う旨の設定指示を受付けた場合に行われるものである。
【００７６】
図１１は、実施の形態１にかかるレーザプリンタにおける再給紙判定処理の流れを示すフローチャートである。まず、いずれかのセンサにより用紙のジャムの発生が検知されると（ステップＳ９００）、特定部３０１は、ジャムを検知したセンサが設けられたジャム給紙路を特定し（ステップＳ９０１）、当該ジャム給紙路に給紙された用紙が格納されて
いたジャム給紙トレイを特定する（ステップＳ９０２）。
【００７７】
次に、接続判定部３０２は、特定されたジャム給紙トレイ以外の給紙トレイであって、ジャム給紙トレイに格納されている用紙のサイズと同一サイズの用紙を格納する他の給紙トレイを有する給紙ユニットが接続されているか否かを判定する（ステップＳ９０３）。他の給紙トレイを有する給紙ユニットが接続されている場合（ステップＳ９０３：Ｙｅｓ）、再給紙判定部３０３は、ジャム給紙路が共通給紙路か否かの判定を行う（ステップＳ９０４）。
【００７８】
そして、ジャム給紙路が共通給紙路であった場合（ステップＳ９０４：Ｙｅｓ）、再給紙判定部３０３は、他の給紙トレイから給紙される用紙がジャム給紙路である共通給紙路の下流に位置する共通給紙路のみを通過するか否かを判定する（ステップＳ９０５）。他の給紙トレイから給紙される用紙が下流に位置する共通給紙路のみを通過する場合（ステップＳ９０５：Ｙｅｓ）、再給紙判定部３０３は、用紙の再給紙が可能と判定する（ステップＳ９０６）。
【００７９】
一方、ステップＳ９０４に戻って、ジャム給紙路が共通給紙路でなかった場合、すなわち固有給紙路であった場合（ステップＳ９０４：Ｎｏ）、再給紙判定部３０３は、用紙の再給紙が可能と判定する（ステップＳ９０６）。
【００８０】
また、ステップＳ９０３において、他の給紙トレイを有する給紙ユニットが接続されていない場合（ステップＳ９０３：Ｎｏ）、およびステップＳ９０５において、他の給紙トレイから給紙される用紙が下流に位置する共通給紙路以外も通過する場合（ステップＳ９０５：Ｎｏ）、再給紙判定部３０３は、用紙の再給紙は不可と判定する（ステップＳ９０７）。
【００８１】
また、上述した再給紙判定処理は、各給紙ユニットの特徴を表す各種データに基づいて再給紙が可能か否かを判定するように構成してもよい。図１２は、実施の形態１にかかるレーザプリンタにおける再給紙判定処理の他の流れを示すフローチャートである。まず、いずれかのセンサによる用紙のジャムの発生の検知から、他の給紙トレイの用紙がジャム給紙路の下流のみを通過するか否かの判定まで（ステップＳ１０００〜１００５）は、図１１と同様であるため省略する（ステップＳ９００〜９０５）。
【００８２】
他の給紙トレイから給紙される用紙が下流に位置する共通給紙路のみを通過する場合（ステップＳ１００５：Ｙｅｓ）、およびステップＳ１００４において、ジャム給紙路が共通給紙路でなかった場合、すなわち固有給紙路であった場合（ステップＳ１００４：Ｎｏ）、再給紙判定部３０３は、用紙の再給紙が可能な他の給紙トレイを有する給紙ユニットが複数接続されているか否かを判定する（ステップＳ１００６）。他の給紙トレイを有する給紙ユニットが複数接続されている場合（ステップＳ１００６：Ｙｅｓ）、再給紙判定部３０３は、フラッシュＲＯＭ２０５を参照して、ジャム発生比率の最も低い給紙トレイを他の給紙トレイとして選択する（ステップＳ１００７）。そして、再給紙判定部３０３は、選択した他の給紙トレイにより、再給紙が可能と判定する（ステップＳ１００８）。一方、他の給紙トレイを有する給紙ユニットが複数接続されていない場合（ステップＳ１００６：Ｎｏ）、再給紙判定部３０３は、接続されている給紙トレイにより、再給紙が可能と判定する（ステップＳ１００８）。
【００８３】
また、ステップＳ１００３において、他の給紙トレイを有する給紙ユニットが接続されていない場合（ステップＳ１００３：Ｎｏ）、およびステップＳ１００５において、他の給紙トレイから給紙される用紙が下流に位置する共通給紙路以外も通過する場合（ステップＳ１００５：Ｎｏ）、再給紙判定部３０３は、用紙の再給紙は不可と判定する（ステッ
プＳ１００９）。
【００８４】
図１２の再給紙判定処理では、ジャム発生比率の最も低い給紙トレイを他の給紙トレイとして選択しているが、ジャム発生回数の最も少ない給紙トレイを他の給紙トレイとして選択してもよい。すなわち、ステップＳ１００７において、再給紙判定部３０３は、フラッシュＲＯＭ２０５を参照して、ジャムの発生回数が最も少ない他の給紙トレイを選択すすることも可能である。また、ジャム発生比率およびジャム発生回数の両方に基づいて他の給紙トレイを選択してもよい。
【００８５】
次に、メッセージ通知及び再給紙・再印刷処理について説明する。図１３は、実施の形態１にかかるレーザプリンタにおけるメッセージ通知及び再給紙・再印刷処理の流れを示すフローチャートである。メッセージ通知及び再給紙・再印刷処理では、再給紙可否の判定後に該判定結果に応じて２通りの処理に分かれる。
【００８６】
再給紙判定部３０３により再給紙が可能と判定された場合（ステップＳ１１０１：Ｙｅｓ）、再給紙判定部３０３は、ジャムの発生により用紙の給紙動作を中断する旨のジャム通知をコントローラ２（図３）に送信する（ステップＳ１１０２）。この際、ジャム先頭シートＩＤも同時にコントローラ２に送信する。
【００８７】
次に、再給紙判定部３０３は、ジャム給紙路におけるジャム解除動作を待たずに、再給紙する際の給紙トレイを有する給紙ユニットとして決定された給紙ユニットへ給紙口を変更した旨の給紙口変更通知をコントローラ２に送信する（ステップＳ１１０３）。そして、再給紙判定部３０３は、給紙口変更通知の後に、用紙の給紙動作を再開する旨のジャム解除通知をコントローラ２に送信する（ステップＳ１１０４）。
【００８８】
ジャム解除通知を受信したコントローラ２は、ジャム先頭シートＩＤに対応する用紙以降の用紙に出力すべきデータをエンジン３（図３）に再送信して再印刷を開始する（ステップＳ１１０５）。再印刷により全ての印刷が完了したとき、再給紙判定部３０３は、ジャムとして給紙路内に残っている用紙の除去等、ジャム状態の解消を促す残紙ジャム通知をコントローラ２に送信する（ステップＳ１１０６）。この残紙ジャム通知により、再印刷完了後に給紙路内にある用紙がジャムで不要となった用紙であることをコントローラ２に伝達し、コントローラ２のリカバリによる二重印刷を防止する。また、残紙ジャムは、給紙カバーを開け、残紙を除去して、給紙カバーを閉めるまでの処理が完了した後に解除される。
【００８９】
他方、再給紙判定部３０３により再給紙不可と判定された場合（ステップＳ１１０１：Ｎｏ）、再給紙判定部３０３は、ジャム発生を知らせるジャム通知、およびジャム先頭シートＩＤをコントローラ２に送信する（ステップＳ１１０７）。そして、再給紙判定部３０３は、ジャムとして給紙路内に残っている用紙の除去等、ジャム状態の解消を促す残紙ジャム通知をコントローラ２に送信する（ステップＳ１１０８）。
【００９０】
そして、再給紙判定部３０３は、ジャムで残った用紙の除去が完了して残紙ジャムが解消された後に、再給紙判定部３０３は、ジャム解除通知をコントローラ２に送信する（ステップＳ１１０９）。そして、ジャム解除通知を受信したコントローラ２は、ジャム先頭シートＩＤに対応する用紙以降の用紙に出力すべきデータをエンジン３に再送信して再印刷を開始する（ステップＳ１１１０）。
【００９１】
再給紙可能の場合は、用紙を給紙する給紙トレイを備えた給紙ユニットを変えれば印刷を継続できるため、ジャム通知後でジャム解除通知前に給紙口変更通知を送信し、当初の命令通りに印刷を完了させるリカバリを行っている。逆に、再給紙不可の場合は、給紙口
の変更ができないため、ジャムで詰まった用紙を除去して、給紙路内を用紙が搬送可能な状態にする必要があり、ジャム通知、残紙ジャム通知、ジャム解除通知、再給紙・再印刷という従来のリカバリ対応となる。
【００９２】
このように、上述した実施の形態によれば、用紙のジャムが発生しても、複数ある給紙ユニットのうち、用紙を給紙可能な給紙トレイを備えた給紙ユニットによる再給紙の可否を判定することで、より迅速に印刷のリカバリ処理を行うことができ、印刷完了時間を短縮でき、生産性を向上させることが可能となる。
【００９３】
また、上述した実施の形態によれば、ユーザの使用環境や使用条件に応じて再給紙判定処理の実施を選択可能とすることで、ユーザビリティを向上させることが可能となる。
【００９４】
また、上述した実施の形態によれば、各給紙トレイから給紙された用紙のジャム発生回数を不揮発メモリに記憶することで、各給紙ユニットの特徴を保持し、該特徴に基づいて再給紙可能な給紙ユニットを選択することが可能となる。
【００９５】
また、上述した実施の形態によれば、各給紙トレイから給紙された用紙の給紙回数を不揮発メモリに記憶することで、使用頻度を把握してジャム時の切り換え情報を判断材料とすることが可能となる。
【００９６】
また、上述した実施の形態によれば、不揮発メモリに記憶した各給紙トレイのジャム発生回数を参照することで、ジャム発生で他の給紙ユニットに切り換える際、より安定した給紙ユニットを選択することができ、より高い給紙品質を保持することが可能となる。
【００９７】
また、上述した実施の形態によれば、給紙ユニットが共通化した共通給紙路の構成（ローラ、センサの位置等）を有することで、順番を問わず自在なユニットの配置ができ、汎用性が増し、製造コストを抑制することが可能となる。
【００９８】
また、上述した実施の形態によれば、ジャムのリカバリ処理を行ってジョブ印刷が完了した後にジャムの発生した位置の記録紙を取り除くための残紙ジャム通知をコントローラへ送信することで、印刷が全て終わった後にユーザにジャム除去処理を促すことが可能となる。
【００９９】
（実施の形態２）
実施の形態１のレーザプリンタでは、コントローラ２は、エンジン３からジャム通知を受信した後に、ジャム解除通知を受信した場合、エンジン３における用紙の給紙動作を中断させて、印刷を停止させた後、用紙の給紙動作を再開させて、中断した箇所から再印刷する制御を行っていた。従って、実施の形態１にかかるレーザプリンタでは、再給紙が可能と判定された場合、ジャム通知、給紙口変更通知、およびジャム解除通知をコントローラへ送信すると、再給紙・再印刷を行い、それらが完了すると残紙ジャム通知をコントローラに送信するものであった。
【０１００】
これに対し、本実施の形態のレーザプリンタは、コントローラ２は、ジャム通知等を受信すると、エンジン３における用紙の給紙動作を中断させて、印刷を停止させる制御を行うが、ジャム解除通知を受信して再度印刷する場合には、また新たに全ての印刷データをエンジン３に送信して印刷を行なうものである。つまり、本実施の形態におけるレーザプリンタの場合、再給紙が可能と判定された場合でも、一旦ジャム通知をコントローラ２に送信してしまうと、印刷処理が停止した後に、最初から印刷を行なうことになる。従って、本実施の形態にかかるレーザプリンタでは、再給紙が可能と判定された場合に、ジャム通知、給紙口変更通知、およびジャム解除通知をコントローラへ送信せずに、再給紙・再
印刷が完了した場合に、残紙ジャム通知をコントローラに送信するものである。
【０１０１】
ここで、上述したコントローラの機能以外、本実施の形態のレーザプリンタの全体構成、給紙ユニットの構成等は、実施の形態１と同様であるため説明を省略する（図１〜５参照）。図１４は、実施の形態２にかかるレーザプリンタにおけるエンジンの機能的構成を示すブロック図である。
【０１０２】
エンジン３は、特定部３０１と、接続判定部３０２と、再給紙判定部３１３と、再給紙設定部３０４と、給紙部３０５を主に備えており、フラッシュＲＯＭ２０５と、第１給紙ユニット１５０ａと、第２給紙ユニット１５０ｂと、第３給紙ユニット１５０ｃとが接続されている。ここで、特定部３０１と、接続判定部３０２と、再給紙設定部３０４と、給紙部３０５と、フラッシュＲＯＭ２０５と、第１給紙ユニット１５０ａと、第２給紙ユニット１５０ｂと、第３給紙ユニット１５０ｃは、実施の形態１と同様であるため説明を省略する。
【０１０３】
再給紙判定部３１３は、用紙のジャムが発生し、ジャム給紙路とジャム給紙トレイとが特定された後に、他の給紙トレイから給紙された用紙へ再印刷が完了した場合、ジャム給紙路にジャムとして残っている用紙に対するジャム状態の解消を促す残紙ジャム通知をコントローラ２に送信する。そして、残紙ジャム通知を受信したコントローラ２は、オペレーションパネル５（図３参照）等にその旨を表示する等の対処を行う。なお、再給紙判定部３１３による再給紙が可能か否かの判定については、実施の形態１と同様である。
【０１０４】
次に、メッセージ通知及び再給紙・再印刷処理について説明する。図１５は、実施の形態２にかかるレーザプリンタにおけるメッセージ通知及び再給紙・再印刷処理の流れを示すフローチャートである。メッセージ通知及び再給紙・再印刷処理では、再給紙可否の判定後に該判定結果に応じて２通りの処理に分かれる。なお、本実施の形態にかかるレーザプリンタ１の全体制御の動作、割り込み制御の流れ、ジャム発生後のリカバリ処理の流れ、再給紙判定処理の流れについては、実施の形態１と同様であるため、説明を省略する（図８〜１２参照）。
【０１０５】
再給紙判定部３１３により再給紙が可能と判定された場合（ステップＳ１２０１：Ｙｅｓ）、エンジン３の給紙部３０５が用紙を再給紙されると、そのまま再印刷を開始する（ステップＳ１２０２）。なお、ここでは、再給紙判定部３１３からコントローラ２にジャム通知等を送信しないため、エンジン３における給紙・印刷の中断は行われない。
【０１０６】
次に、再印刷により全ての印刷が完了したとき、再給紙判定部３１３は、ジャムとして給紙路内に残っている用紙の除去等、ジャム状態の解消を促す残紙ジャム通知をコントローラ２に送信する（ステップＳ１２０３）。この残紙ジャム通知により、再印刷完了後に給紙路内にある用紙がジャムで不要となった用紙であることをコントローラ２に伝達し、コントローラ２のリカバリによる二重印刷を防止する。また、残紙ジャムは、給紙カバーを開け、残紙を除去して、給紙カバーを閉めるまでの処理が完了した後に解除される。
【０１０７】
一方、再給紙が不可と判定された場合におけるジャム通知から再給紙・再印刷までの処理（ステップＳ１２０４〜１２０７）は、実施の形態１と同様であるため省略する（ステップＳ１１０７〜１１１０参照）。
【０１０８】
このように、上述した実施の形態によれば、実施の形態１における効果に加え、以下の効果を奏する。すなわち、本実施の形態のレーザプリンタ１では、再給紙が可能と判定された場合に、ジャム通知、給紙口変更通知、およびジャム解除通知をコントローラ２へ送信せず、再給紙・再印刷が完了した場合に、残紙ジャム通知をコントローラ２に送信して
いる。従って、コントローラ２は、ジャム通知を受信していないため印刷処理を停止することがなく、他の給紙トレイにより再給紙が可能と判定された場合に、ジャムが発生した時点の印刷状態の続きとして再印刷が可能となるため、無駄な印刷を行なわず、生産性を向上させるとともに生産コストを軽減することができる。
【０１０９】
ここで、上述した実施の形態１、２の再給紙判定部は、用紙のジャムが発生すると、他の給紙トレイを有する給紙ユニットが接続されているか否かの判定を行った後、特定されたジャム給紙路の位置を判定することで、その他の給紙トレイからの再給紙が可能か否かを判定するものであったが（図１１のステップＳ９０３〜９０５参照）、これに限定されることはなく、上記２つの判定の順序を逆にしてもよい。すなわち、再給紙判定部は、用紙のジャムが発生すると、特定されたジャム給紙路の位置を判定した後、他の給紙トレイを有する給紙ユニットが接続されているか否かの判定を行うことで、その他の給紙トレイからの再給紙が可能か否かを判定する構成にしてもよい。
【０１１０】
また、上述した実施形態１、２では、ジャム給紙トレイ以外の給紙トレイであって、ジャム給紙トレイに格納された用紙のサイズと同一サイズの用紙を格納する給紙トレイである他の給紙トレイからの再給紙が可能か否かを判定しているが、これに限定されることはない。例えば、再給紙判定部を、用紙のサイズを判定せずに、ジャム給紙トレイ以外の給紙トレイからの再給紙が可能か否かを判定する構成としてもよい。つまり、ジャム給紙トレイに格納された用紙のサイズと異なるサイズであっても、ジャム給紙トレイに格納された用紙のサイズより大きいサイズの用紙であれば印刷が可能であるため、この場合は再給紙が可能とする。
【０１１１】
また、再給紙判定部を、ジャム給紙トレイ以外の給紙トレイであって、ジャム給紙トレイに格納された用紙のサイズと同一サイズ、およびジャム給紙トレイに格納された用紙の方向と同一方向の用紙を格納する給紙トレイである他の給紙トレイからの再給紙が可能か否かを判定する構成としてもよい。ここで、用紙の同一方向とは、比較する用紙同士の長辺および短辺が同じ向きに格納された状態をいう。
【０１１２】
また、再給紙判定部を、用紙のサイズを判定せず、ジャム給紙トレイ以外の給紙トレイであって、ジャム給紙トレイに格納された用紙の方向と同一方向の用紙を格納する給紙トレイである他の給紙トレイからの再給紙が可能か否かを判定する構成としてもよい。つまり、ジャム給紙トレイに格納された用紙のサイズと異なるサイズであっても、ジャム給紙トレイに格納された用紙の方向と同一方向の用紙であって、ジャム給紙トレイに格納された用紙のサイズより大きいサイズの用紙であれば印刷が可能であるため、この場合は再給紙が可能とする。例えば、Ａ４サイズの用紙に印刷する画像を、同一方向に格納されたＢ４サイズの用紙に印刷する場合である。
【０１１３】
さらに、上述した実施形態１、２では、再給紙判定部は、ジャム給紙トレイ以外の給紙トレイであって、ジャム給紙トレイに格納された用紙のサイズと同一サイズの用紙を格納する給紙トレイである他の給紙トレイからの再給紙が可能か否かを判定している。このとき、ジャム給紙トレイに格納された用紙の方向と、他の給紙トレイに格納された用紙の方向とを検知し、再給紙判定部は、その用紙の方向が同一方向であれば、そのまま他の給紙トレイに格納された用紙を再給紙して印刷を行なうことができる。しかし、その用紙の方向が異なる方向であった場合には、他の給紙トレイに格納された用紙に画像が収まらなくなるため、印刷する画像を回転させて再給紙を行うように再給紙判定部を構成してもよい。その場合は、例えば、図１６に示すように、エンジン３に画像回転部３０６をさらに設け、この画像回転部３０６により印刷する画像を９０度回転させる構成とすればよい。なお、この画像回転部３０６による画像の回転処理は、例えば、特開２００４−２４２２１２号公報に開示されている公知技術を用いればよい。
【０１１４】
なお、上述した実施の形態は、本発明の好適な実施の形態であり、上記実施の形態のみに本発明の範囲を限定するものではなく、本発明の要旨を逸脱しない範囲において種々の変更を施した形態での実施が可能である。
【図面の簡単な説明】
【０１１５】
【図１】実施の形態１にかかるレーザプリンタのユニット構成を示した概略図である。
【図２】実施の形態１にかかるレーザプリンタにおける用紙の給紙経路および各機構の配置関係を示す説明図である。
【図３】実施の形態１にかかるレーザプリンタの制御系の構成を示すブロック図である。
【図４】実施の形態１にかかるレーザプリンタの給紙ユニットの構成を示す概略図である。
【図５】実施の形態１にかかるレーザプリンタの給紙ユニットの構成の詳細を示す説明図である。
【図６】実施の形態１にかかるレーザプリンタにおけるエンジンの機能的構成を示すブロック図である。
【図７】ジャムの発生を検知したセンサと再給紙が可能な各給紙ユニットとの関係を示す図である。
【図８】実施の形態１にかかるレーザプリンタの全体制御の流れを示すフローチャートである。
【図９】実施の形態１にかかるレーザプリンタの割り込み制御の流れを示すフローチャートである。
【図１０】実施の形態１における用紙のジャム発生後のリカバリ処理の流れを示すフローチャートである。
【図１１】実施の形態１にかかるレーザプリンタにおける再給紙判定処理の流れを示すフローチャートである。
【図１２】実施の形態１にかかるレーザプリンタにおける再給紙判定処理の他の流れを示すフローチャートである。
【図１３】実施の形態１にかかるレーザプリンタにおけるメッセージ通知及び再給紙・再印刷処理の流れを示すフローチャートである。
【図１４】実施の形態２にかかるレーザプリンタにおけるエンジンの機能的構成を示すブロック図である。
【図１５】実施の形態２にかかるレーザプリンタにおけるメッセージ通知及び再給紙・再印刷処理の流れを示すフローチャートである。
【図１６】レーザプリンタにおけるエンジンの機能的構成の他の一例を示すブロック図である。
【符号の説明】
【０１１６】
１    レーザプリンタ
２    コントローラ
３    エンジン
１１０    本体ユニット
１２０    両面ユニット
１３０    メイルボックスユニット
１４０    フィニッシャユニット
１５０（１５０ａ、１５０ｂ、１５０ｃ）    給紙ユニット
１５１    搬送ローラ
１５２（１５２ａ、１５２ｂ、１５２ｃ）    センサ
１５３    給紙ローラ
１５４（１５４ａ、１５４ｂ、１５４ｃ）    センサ
１５５ａ、１５５ｂ、１５５ｃ    給紙トレイ
１５８（１５８ａ、１５８ｂ、１５８ｃ）    共通給紙路
１５９（１５９ａ、１５９ｂ、１５９ｃ）    固有給紙路
３０１    特定部
３０２    接続判定部
３０３、３１３    再給紙判定部
３０４    再給紙設定部
３０５    給紙部
２０５    フラッシュＲＯＭ
【図１】
0005326375.tif 000002
【図２】
0005326375.tif 000003
【図３】
0005326375.tif 000004
【図４】
0005326375.tif 000005
【図５】
0005326375.tif 000006
【図６】
0005326375.tif 000007
【図７】
0005326375.tif 000008
【図８】
0005326375.tif 000009
【図９】
0005326375.tif 000010
【図１０】
0005326375.tif 000011
【図１１】
0005326375.tif 000012
【図１２】
0005326375.tif 000013
【図１３】
0005326375.tif 000014
【図１４】
0005326375.tif 000015
【図１５】
0005326375.tif 000016
【図１６】
0005326375.tif 000017